(57)【要約】      （修正有）【課題】体積を小さくして収納を容易にすることができ、かつ工具を不要とし、繰り返し使用することができる包装箱構造を提供する。【解決手段】かかる包装箱構造は、蓋体１０、箱主体２０の上に折り曲げ線２２４が設けられることにより、折り曲げ線２２４に従って折り曲げたり、押し付けたりすること、かつ結束バンド３０を介して蓋体１０と箱主体２０を緊縛することで、体積を小さくして収納を容易にすることができる構造が得られる。【選択図】図６
0003211023.tif 000002
【実用新案登録請求の範囲】
【請求項１】
蓋体と、箱主体と、１つ以上の結束バンドとから構成される包装箱構造であって、
前記蓋体は、蓋体の中央板を有し、その四周に沿って左右両側対称にそれぞれ蓋体の第１側板と、蓋体の第２側板とが設けられ、前記蓋体の中央板の上下両側に沿ってそれぞれ蓋体の第３側板と、蓋体の第４側板とが設けられ、前記蓋体の中央板から前記蓋体の第３側板、前記蓋体の第４側板までの中央延長上に１つ以上の蓋体の中央板中折り線を有し、前記蓋体の中央板の四周にそれぞれ前記蓋体の第１側板〜第４側板を折り曲げるための折り曲げ線が設けられ、前記蓋体の第１側板と、前記蓋体の第２側板とが概ね台形形状を呈しており、それらの組立後、左右両側の前記蓋体の側壁に形成され、前記蓋体の第３側板の左右両側にそれぞれ前記蓋体の第１側板と、前記蓋体の第２側板とを接合する接合部が設けられ、かつ前記接合部から内側に向けて蓋体の第３側板折り曲げ線が設けられ、前記蓋体の第４側板に１つ以上の蓋体の結束バンド挿通溝が設けられ、
前記箱主体は、箱主体の第１背板と、箱主体の第２背板と、箱主体の第１側板と、箱主体の第２側板とから構成され、前記箱主体の第１背板の片側端に接合板が設けられ、その相対側に前記箱主体の第２側板が連設されて、前記箱主体の第１背板の下方に箱主体の第１下外フラップと、箱主体の第２下外フラップとが設けられ、さらに前記箱主体の上に箱主体の第１背板折り曲げ線が設けられることにより、第１辺線と第２辺線とが定義付けられ、前記箱主体の第１背板に１つ以上の第１結束バンド挿通溝が設けられると共に、前記箱主体の第１背板は、前記箱主体の第１下外フラップと、前記箱主体の第２下外フラップとの連接箇所に１つ以上の組立穴が開設され、前記箱主体の第２背板の両側には、それぞれ前記箱主体の第１側板と、前記箱主体の第２側板とが連接されて、その下方に箱主体の第３下外フラップと、箱主体の第４下外フラップとが設けられると共に、前記箱主体の第３下外フラップと、前記箱主体の第４下外フラップとから外向きに延設された２つの嵌合板により、前記箱主体の第１下外フラップ〜第４下外フラップの折り曲げ後、前記嵌合板が前記組立穴中に丁度組み付け可能に固着構造に形成され、前記箱主体の第２背板に箱主体の第２背板折り曲げ線が設けられることにより、第３辺線と第４辺線とが定義付けられ、前記箱主体の第１側板と、前記箱主体の第２側板との下方にそれぞれ箱主体の第１下内フラップと、箱主体の第２下内フラップとを有し、
収納しようとする時、前記１つ以上の結束バンドと、前記蓋体と、結合部品とを取り外した後、前記蓋体の前記蓋体の中央板中折り線に沿って中折りし、かつ前記蓋体の第３側板折り曲げ線に従って折り曲げて多辺形の扁平状構造に形成され、そして前記箱主体の第１下外フラップ〜第４下外フラップ及び前記箱主体の第１下内フラップ〜第２下内フラップを前記箱主体の内側に向けて凹折してから、前記箱主体の第１側板と前記第１辺線に沿って前記箱主体の第１背板折り曲げ線に従って内向きに押し込むことで、前記第４辺線を同一方向に向けて前記箱主体の内側に押し込むように連動させてから、前記結束バンドを介して収納後の前記蓋体と、前記箱主体とを一体的に結合して空間を節約する構造が得られることを特徴とする、包装箱構造。
【請求項２】
前記蓋体は、前記蓋体の折り曲げ線に従って前記蓋体の第１側板〜第４側板を折り曲げると共に、前記蓋体の第３側板の前記接合部を、前記結合部品を介して前記蓋体の第１側板と、前記蓋体の第２側板とに取り付けて前記箱主体の開口を閉塞可能な蓋体構造に形成され、そして前記箱主体の第１背板と、前記箱主体の第２背板と、前記箱主体の第１側板と、前記箱主体の第２側板との折り曲げ後、前記結合部品を介して前記箱主体の第２側板と、前記接合板とを取り付けて立方体構造に形成されてから、前記箱主体の第１下内フラップと、前記箱主体の第２下内フラップとを前記箱主体の内側に向けて折り曲げて前記箱主体の第１下外フラップ〜第４下外フラップを折り畳むと共に、前記箱主体の第３下外フラップの前記嵌合板と、前記箱主体の第４下外フラップの前記嵌合板とを前記組立穴内に挿し込んで開口上向きの箱体構造に形成され、前記結束バンドを前記箱主体の前記第１結束バンド挿通溝と、第２結束バンド挿通溝とに貫通配置すると共に、前記蓋体に巻き戻すことにより、前記蓋体を前記箱主体の上に蓋閉じして包装箱構造に形成されることを特徴とする、請求項１に記載の包装箱構造。
【請求項３】
前記結束バンドは、前記蓋体の結束バンド挿通溝から前記箱主体の内側に挿入され、そして同側の前記箱主体の下方の前記第１結束バンド挿通溝に沿って引き出されてから、前記結束バンドで前記箱主体の第３下外フラップと、前記箱主体の第４下外フラップとを巻回した後、同側の前記箱主体の前記第２結束バンド挿通溝に挿入されて前記箱主体の内側に進入し、そして同側上方の前記第２結束バンド挿通溝から引き出され、結合材を介して前記結束バンドを前記蓋体の上方に固定することを特徴とする、請求項２に記載の包装箱構造。
【請求項４】
前記蓋体の第１側板と、前記蓋体の第２側板とにそれぞれ第１弧状部と、第２弧状部とを有し、前記第１弧状部と、前記第２弧状部とは、前記蓋体の第４側板に合わせて枢転効果を生じ、また前記第１弧状部と、前記第２弧状部とに蓋体の第１側板折り曲げ線と、蓋体の第２側板折り曲げ線とを有し、収納時、前記第１弧状部と、前記第２弧状部とを折り曲げて収納することを特徴とする、請求項１に記載の包装箱構造。
【請求項５】
前記蓋体の結束バンド挿通溝と、前記箱主体の前記第１結束バンド挿通溝と、前記箱主体の前記第２結束バンド挿通溝とが丁度垂直形態となることを特徴とする、請求項１に記載の包装箱構造。
【請求項６】
蓋体と、箱主体と、底蓋と、１つ以上の結束バンドとから構成される包装箱構造であって、
前記蓋体は、蓋体の中央板を有し、その四周に沿って左右両側対称にそれぞれ蓋体の第１側板と、蓋体の第２側板とが設けられ、前記蓋体の中央板の上下両側に沿ってそれぞれ蓋体の第３側板と、蓋体の第４側板とが設けられ、前記蓋体の中央板から前記蓋体の第３側板、前記蓋体の第４側板までの中央延長上に１つ以上の蓋体の中央板中折り線を有し、前記蓋体の中央板の四周にそれぞれ前記蓋体の第１側板〜第４側板を折り曲げるための折り曲げ線が設けられ、前記蓋体の組立後、左右両側の前記蓋体の側壁に形成され、前記蓋体の第３側板と、前記蓋体の第４側板との左右両側にそれぞれ前記蓋体の第１側板と、前記蓋体の第２側板とを接合する接合部が設けられ、
前記箱主体は、箱主体の第１背板と、箱主体の第２背板と、箱主体の第１側板と、箱主体の第２側板とから構成され、前記箱主体の第１背板の片側端に接合板が設けられ、その相対側に前記箱主体の第２側板が連設されて、さらに前記箱主体の上に箱主体の第１背板折り曲げ線が設けられることにより、第１辺線と第２辺線とが定義付けられ、前記箱主体の第１背板に１つ以上の第１結束バンド挿通溝が設けられ、前記箱主体の第２背板の両側には、それぞれ前記箱主体の第１側板と、前記箱主体の第２側板とが連接されて、前記箱主体の第２背板に箱主体の第２背板折り曲げ線が設けられることにより、第３辺線と第４辺線とが定義付けられ、
前記底蓋は、前記蓋体と同様の構造を有し、前記箱主体の下方の開口を閉塞するために用いられ、
収納しようとする時、前記１つ以上の結束バンドと、前記蓋体と、前記底蓋と、結合部品とを取り外した後、前記蓋体と前記底蓋との前記蓋体の中央板中折り線に沿って中折りし、かつ前記蓋体と前記底蓋との第３側板折り曲げ線に従って折り曲げて多辺形の扁平状構造に形成され、そして前記箱主体の第１側板と前記第１辺線に沿って前記箱主体の第１背板折り曲げ線に従って内向きに押し込むことで、前記第４辺線を同一方向に向けて前記箱主体の内側に押し込むように連動させてから、前記結束バンドを介して収納後の前記蓋体と、前記箱主体と、前記底蓋とを一体的に結合して空間を節約する構造が得られることを特徴とする、包装箱構造。
【請求項７】
前記蓋体と、前記底蓋とは、前記蓋体と前記底蓋との折り曲げ線に従って前記蓋体と前記底蓋との第１側板〜第４側板を折り曲げると共に、前記蓋体の第３側板と、前記蓋体の第４側板との前記接合部を、前記結合部品を介して前記蓋体の第１側板と、前記蓋体の第２側板とに取り付けて前記箱主体の開口を閉塞可能な蓋体及び底蓋構造に形成され、そして前記箱主体の第１背板と、前記箱主体の第２背板と、前記箱主体の第１側板と、前記箱主体の第２側板との折り曲げ後、前記結合部品を介して前記箱主体の第１側板と、前記接合板とを取り付けて立方体構造に形成されてから、前記結束バンドを前記箱主体の前記第１結束バンド挿通溝と、第２結束バンド挿通溝とに貫通配置すると共に、前記蓋体に巻き戻すことにより、前記蓋体を前記箱主体の上に蓋閉じして包装箱構造に形成されることを特徴とする、請求項６に記載の包装箱構造。
【請求項８】
前記結束バンドは、前記箱主体の上方の前記第１結束バンド挿通溝から前記箱主体の内側に挿入され、そして同側の前記箱主体の下方の前記第１結束バンド挿通溝に沿って引き出されてから、前記結束バンドで前記底蓋を巻回した後、前記箱主体の前記第２結束バンド挿通溝に挿入されて前記箱主体の内側に進入し、そして同側上方の前記第２結束バンド挿通溝から引き出され、結合材を介して前記結束バンドを前記蓋体の上方に固定することを特徴とする、請求項７に記載の包装箱構造。
【請求項９】
前記結束バンドの上に前記結合材を有し、前記結合材がオスメス面ファスナーであることを特徴とする、請求項３または請求項８に記載の包装箱構造。
【請求項１０】
前記結合部品がリベットであることを特徴とする、請求項１または請求項６に記載の包装箱構造。
【請求項１１】
前記箱主体の第１背板と、前記箱主体の第２背板と、前記箱主体の第１側板と、前記箱主体の第２側板とには、それぞれ第１手掛け穴、第２手掛け穴が設けられることを特徴とする、請求項１または請求項６に記載の包装箱構造。
【考案の詳細な説明】
【技術分野】
【０００１】
本考案は、包装箱構造に係り、特に、蓋体及び箱主体の上に折り曲げ線が設けられることにより、包装箱を容易に収納できる構造に関するものである。
【背景技術】
【０００２】
従来の包装箱構造は、図１１〜図１３に示すように、２つの背板９１及び２つの側板９２を備えて構成され、２つの前記背板９１及び側板９２の上に包装箱の開口を閉塞するためのフラップ９３が設けられ、ガムテープやステープルでその開口を封緘することにより、包装しようとする物品を詰め込むことができる。
【考案の概要】
【考案が解決しようとする課題】
【０００３】
本考案の主な目的は、包装箱構造を提供することであり、それは蓋体、箱主体の上に折り曲げ線が設けられることにより、折り曲げ線に従って折り曲げたり、押し付けたりすることで、体積を小さくして収納を容易にすることができる構造が得られる。
【課題を解決するための手段】
【０００４】
本考案の別の目的は、前記蓋体及び箱主体が結束バンドを介して結合され、かつ工具を不要とし、繰り返し使用することができ、良好な利便性を有する包装箱構造を提供することである。
【図面の簡単な説明】
【０００５】
【図１】本考案の構造を示す斜視図である。
【図２】前記蓋体の展開図である。
【図３】前記蓋体の構造を示す斜視図である。
【図４】前記箱主体の展開図である。
【図５】結束バンドが蓋体及び箱主体に挿通巻回された状態を示す図である。
【図６】本考案の使用状態図である。
【図７】本考案の収納動作を示す流れ図である。
【図８】本考案の収納後の使用状態図である。
【図９】本考案の別の実施形態の構造を示す斜視図である。
【図１０】図９の構造を示す分解斜視図である。
【図１１】従来の構造を示す展開図である。
【図１２】従来の構造を示す斜視図である。
【図１３】従来の構造の収納後の状態を示す図である。
【考案を実施するための形態】
【実施例１】
【０００６】
図１〜図８に示すように、本考案の包装箱構造は、蓋体１０と、箱主体２０と、１つ以上の結束バンド３０とから構成される。
【０００７】
前記蓋体１０は、蓋体の中央板１１を有し、その四周に沿って左右両側対称にそれぞれ蓋体の第１、第２側板１２，１３が設けられ、蓋体の中央板１１の上下両側に沿ってそれぞれ蓋体の第３、第４側板１４，１５が設けられ、前記蓋体の中央板１１から蓋体の第３、第４側板１４，１５までの中央延長上に１つ以上の蓋体の中央板中折り線１１１を有し、前記蓋体の中央板１１の四周にそれぞれ蓋体の第１側板〜第４側板１２，１３，１４，１５を折り曲げるための折り曲げ線１１２が設けられ、前記蓋体の第１、第２側板１２，１３が概ね台形形状を呈しており、それらの組立後、左右両側の蓋体１０側壁に形成され、前記蓋体の第３側板１４の左右両側にそれぞれ蓋体の第１、第２側板１２，１３を接合する接合部１４１が設けられ、かつ前記接合部１４１から内側に向けて蓋体の第３側板折り曲げ線１４２が設けられ、前記蓋体の第４側板１５に１つ以上の蓋体の結束バンド挿通溝１５１が設けられる。
【０００８】
前記箱主体２０は、箱主体の第１、第２背板２１，２２と箱主体の第１、第２側板２３，２４とから構成され、前記箱主体の第１背板２１の片側端に接合板２１９が設けられ、その相対側に前記箱主体の第２側板２４が連設されて、箱主体の第１背板２１の下方に箱主体の第１、第２下外フラップ２１１，２１２が設けられ、さらに前記箱主体２０の上に箱主体の第１背板折り曲げ線２１３が設けられることにより、第１及び第２辺線２１４，２１５が定義付けられ、前記箱主体の第１背板２１に１つ以上の第１結束バンド挿通溝２１６が設けられ、かつ前記箱主体の第１背板２１は、箱主体の第１、第２下外フラップ２１１，２１２の連接箇所に１つ以上の組立穴２１７が開設され、前記箱主体の第２背板２２の両側には、それぞれ箱主体の第１、第２側板２３，２４が連接されて、その下方に箱主体の第３、第４下外フラップ２２１，２２２が設けられると共に、前記箱主体の第３、第４下外フラップ２２１，２２２から外向きに延設された２つの嵌合板２２３により、第１下外フラップ〜第４下外フラップ２１１，２１２，２２１，２２２の折り曲げ後、前記嵌合板２２３が組立穴２１７中に丁度組み付け可能に固着構造に形成され、前記箱主体の第２背板２２に箱主体の第２背板折り曲げ線２２４が設けられることにより、第３及び第４辺線２２５，２２６が定義付けられ、前記箱主体の第１、第２側板２３，２４の下方にそれぞれ箱主体の第１、第２下内フラップ２３１，２４１を有する。
【０００９】
上記の構造によれば、本考案の使用方式及びその得られる利点、作用効果は、以下のように簡単に説明できる。
【００１０】
１．収納しようとする時、前記１つ以上の結束バンド３０と、蓋体１０と、結合部品４０とを取り外した後、前記蓋体１０の蓋体の中央板中折り線１１１に沿って中折りし、かつ蓋体の第３側板折り曲げ線１４２に従って折り曲げて多辺形の扁平状構造に形成され、そして箱主体２０の第１下外フラップ〜第４下外フラップ２１１，２１２，２２１，２２２及び箱主体の第１下内フラップ〜第２下内フラップ２３１，２４１を箱主体２０の内側に向けて凹折してから、箱主体の第１側板２３及び第１辺線２１４に沿って箱主体の第１背板折り曲げ線２１３に従って内向きに押し込むことで、第４辺線２２６を同一方向に向けて箱主体２０の内側に押し込むように連動させてから、結束バンド３０を介して収納後の蓋体１０と、箱主体２０とを一体的に結合して空間を節約する構造が得られる。
【００１１】
２．包装箱を使用しようとする時、前記蓋体１０は、蓋体１０の折り曲げ線１１２に従って蓋体の第１側板〜第４側板１２，１３，１４，１５を折り曲げると共に、蓋体の第３側板１４の接合部１４１を、結合部品４０を介して蓋体の第１、第２側板１２，１３に取り付けて箱主体の開口を閉塞可能な蓋体１０構造に形成され、そして前記箱主体の第１、第２背板２１，２２と箱主体の第１、第２側板２３，２４との折り曲げ後、結合部品４０を介して箱主体の第１側板２１と、接合板２１９とを取り付けて立方体構造に形成されてから、箱主体の第１、第２下内フラップ２３１，２４１を箱主体の内側に向けて折り曲げて箱主体の第１下外フラップ〜第４下外フラップ２１１，２１２，２２１，２２２を折り畳むと共に、前記箱主体の第３、第４下外フラップ２２１，２２２の嵌合板２２３を組立穴２１７内に挿し込んで開口上向きの箱体構造に形成され、結束バンド３０を蓋体の結束バンド挿通溝１５１と、箱主体２０の前記第１結束バンド挿通溝２１６とに貫通配置すると共に、蓋体１０に巻き戻すことにより、蓋体１０を箱主体２０の上に蓋閉じして包装箱構造に形成される。
【００１２】
３．前記結束バンド３０は、蓋体の結束バンド挿通溝１５１から箱主体２０の内側に挿入され、そして同側の箱主体２０の下方の第１結束バンド挿通溝２１６に沿って引き出されてから、結束バンド３０で箱主体の第３、第４下外フラップ２２１，２２２を巻回した後、同側の箱主体２０の第２結束バンド挿通溝２２７に挿入されて箱主体２０の内側に進入し、そして同側上方の第２結束バンド挿通溝２２７から引き出され、結合材４１を介して結束バンド３０を蓋体１０の上方に固定する（図５参照）。
【００１３】
４．本考案は、主に繰り返し利用可能な結合部品４０を介して蓋体１０と、箱主体２０との連接を行い、その中、前記結合部品４０は、リベットを選択して用いることができる。
【００１４】
５．本考案の結束バンド３０の上に結合材４１を有し、前記結合材４１は、オスメス面ファスナーを選択して用いることができる。
【００１５】
６．前記蓋体１０の第１、第２側板１２，１３にそれぞれ第１、第２弧状部１２１，１３１を有し、前記第１、第２弧状部１２１，１３１は、蓋体の第４側板１５に合わせて枢転効果を生じ、また前記第１、第２弧状部１２１，１３１にそれぞれ蓋体の第１、蓋体の第２側板折り曲げ線１２２、１３２を有し、収納時、前記第１、第２弧状部１２１，１３１を折り曲げて収納することができる。
【００１６】
７．使用者による持ち運びを容易にするために、本考案の前記箱主体の第１、第２背板２１，２２及び第１、第２側板２３，２４には、それぞれ第１、第２手掛け穴２１８，２２８が設けられる。
【実施例２】
【００１７】
上記の考案構想に基づいて、本考案は、下記の態様のように実施してもよく、図９〜図１０に示すように、蓋体５０と、箱主体６０と、底蓋７０と、１つ以上の結束バンド８０とから構成され、その第１実施形態との相違点は、第１実施形態のフラップを底蓋７０に取り代えてより重い物品（例えば、自転車）を荷積みすることができることにあり、同様の部品についての説明はここで省略する。
【００１８】
前記蓋体５０は、蓋体の中央板を有し、その四周に沿って左右両側対称にそれぞれ蓋体の第１、第２側板とが設けられ、蓋体の中央板の上下両側に沿ってそれぞれ蓋体の第３、第４側板が設けられ、前記蓋体の中央板から蓋体の第３、第４側板までの中央延長上に１つ以上の蓋体の中央板中折り線を有し、前記蓋体の中央板の四周にそれぞれ蓋体の第１側板〜第４側板を折り曲げるための折り曲げ線が設けられ、前記蓋体の組立後、左右両側の蓋体側壁に形成され、前記蓋体の第３、第４側板の左右両側にそれぞれ蓋体の第１、第２側板を接合する接合部が設けられる。
【００１９】
前記箱主体６０は、箱主体の第１、第２背板と箱主体の第１、第２側板とから構成され、前記箱主体の第１背板の片側端に接合板が設けられ、その相対側に前記箱主体の第２側板が連設されて、また前記箱主体の上に箱主体の第１背板折り曲げ線が設けられることにより、第１及び第２辺線が定義付けられ、前記箱主体の第１背板に１つ以上の結束バンド挿通溝が設けられ、前記箱主体の第２背板の両側には、それぞれ箱主体の第１、第２側板が連接されて、前記箱主体の第２背板に箱主体の第２背板折り曲げ線が設けられることにより、第３及び第４辺線とが定義付けられる。
【００２０】
底蓋７０は、蓋体５０と同様の構造を有し、箱主体の下方の開口を閉塞するために用いられる。
【００２１】
収納しようとする時、前記１つ以上の結束バンド８０と、蓋体５０と、底蓋７０と、結合部品とを取り外した後、前記蓋体と底蓋との中央板中折り線に沿って中折りし、かつ蓋体と底蓋との第３側板折り曲げ線に従って折り曲げて多辺形の扁平状構造に形成され、そして前記箱主体６０の第１側板と第１辺線に沿って箱主体の第１背板折り曲げ線に従って内向きに押し込むことで、第４辺線を同一方向に向けて箱主体６０の内側に押し込むように連動させてから、結束バンド８０を介して収納後の蓋体５０と、箱主体６０と、底蓋７０とを一体的に結合して空間を節約する構造が得られる。
【００２２】
図９〜図１０に示すように、蓋体５０と底蓋７０は、折り曲げ線に従って蓋体と底蓋との第１側板〜第４側板を折り曲げると共に、蓋体の第３、第４側板の接合部を、結合材を介して蓋体の第１、第２側板に取り付けて箱主体の開口を閉塞可能な蓋体５０及び底蓋７０構造に形成され、そして前記箱主体の第１、第２背板と箱主体の第１、第２側板との折り曲げ後、結合部品を介して箱主体の第１側板と、接合板とを取り付けて立方体構造に形成されてから、結束バンド８０を蓋体５０及び箱主体６０の結束バンド挿通溝とに貫通配置すると共に、蓋体５０に巻き戻すことにより、蓋体５０を箱主体６０の上に蓋閉じして包装箱構造に形成される。
【００２３】
第１実施形態との相違点は、前記結束バンド８０は、箱主体６０の上方の結束バンド挿通溝から箱主体の内側に挿入され、そして同側の箱主体６０の下方の結束バンド挿通溝に沿って引き出されてから、結束バンド８０で底蓋７０を巻回した後、同側の箱主体６０の結束バンド挿通溝に挿入されて箱主体の内側に進入し、そして同側上方の結束バンド挿通溝から引き出され、結合材を介して結束バンド８０を蓋体５０の上方に固定することにある。
【符号の説明】
【００２４】
１０：蓋体
１１：蓋体の中央板
１１１：蓋体の中央板中折り線
１１２：折り曲げ線
１２：蓋体の第１側板
１２１：第１弧状部
１２２：蓋体の第１側板折り曲げ線
１３：蓋体の第２側板
１３１：第２弧状部
１３２：蓋体の第２側板折り曲げ線
１４：蓋体の第３側板
１４１：接合部
１４２：蓋体の第３側板折り曲げ線
１５：蓋体の第４側板
１５１：蓋体の結束バンド挿通溝
２０：箱主体
２１：箱主体の第１背板
２１１：箱主体の第１下外フラップ
２１２：箱主体の第２下外フラップ
２１３：箱主体の第１背板折り曲げ線
２１４：第１辺線
２１５：第２辺線
２１６：第１結束バンド挿通溝
２１７：組立穴
２１８：第１手掛け穴
２１９：接合板
２２：箱主体の第２背板
２２１：箱主体の第３下外フラップ
２２２：箱主体の第４下外フラップ
２２３：嵌合板
２２４：箱主体の第２背板折り曲げ線
２２５：第３辺線
２２６：第４辺線
２２７：第２結束バンド挿通溝
２２８：第２手掛け穴
２３：箱主体の第１側板
２３１：箱主体の第１下内フラップ
２４：箱主体の第２側板
２４１：箱主体の第２下内フラップ
３０：結束バンド
４０：結合部品
４１：結合材
５０：蓋体
６０：箱主体
７０：底蓋
８０：結束バンド
【図１】
0003211023.tif 000003
【図２】
0003211023.tif 000004
【図３】
0003211023.tif 000005
【図４】
0003211023.tif 000006
【図５】
0003211023.tif 000007
【図６】
0003211023.tif 000008
【図７】
0003211023.tif 000009
【図８】
0003211023.tif 000010
【図９】
0003211023.tif 000011
【図１０】
0003211023.tif 000012
【図１１】
0003211023.tif 000013
【図１２】
0003211023.tif 000014
【図１３】
0003211023.tif 000015
【手続補正書】
【提出日】平成29年4月11日(2017.4.11)
【手続補正１】
【補正対象書類名】実用新案登録請求の範囲
【補正対象項目名】全文
【補正方法】変更
【補正の内容】
【実用新案登録請求の範囲】
【請求項１】
蓋体と、箱主体と、１つ以上の結束バンドとから構成される包装箱構造であって、
前記蓋体は、蓋体の中央板を有し、その四周に沿って左右両側対称にそれぞれ蓋体の第１側板と、蓋体の第２側板とが設けられ、前記蓋体の中央板の上下両側に沿ってそれぞれ蓋体の第３側板と、蓋体の第４側板とが設けられ、前記蓋体の中央板から前記蓋体の第３側板、前記蓋体の第４側板までの中央延長上に１つ以上の蓋体の中央板中折り線を有し、前記蓋体の中央板の四周にそれぞれ前記蓋体の第１側板〜第４側板を折り曲げるための折り曲げ線が設けられ、前記蓋体の第１側板と、前記蓋体の第２側板とが概ね台形形状を呈しており、それらの組立後、左右両側の前記蓋体の側壁に形成され、前記蓋体の第３側板の左右両側にそれぞれ前記蓋体の第１側板と、前記蓋体の第２側板とを接合する接合部が設けられ、かつ前記接合部から内側に向けて蓋体の第３側板折り曲げ線が設けられ、前記蓋体の第４側板に１つ以上の蓋体の結束バンド挿通溝が設けられ、
前記箱主体は、箱主体の第１背板と、箱主体の第２背板と、箱主体の第１側板と、箱主体の第２側板とから構成され、前記箱主体の第１背板の片側端に接合板が設けられ、その相対側に前記箱主体の第２側板が連設されて、前記箱主体の第１背板の下方に箱主体の第１下外フラップと、箱主体の第２下外フラップとが設けられ、さらに前記箱主体の上に箱主体の第１背板折り曲げ線が設けられることにより、第１辺線と第２辺線とが定義付けられ、前記箱主体の第１背板に１つ以上の第１結束バンド挿通溝が設けられると共に、前記箱主体の第１背板は、前記箱主体の第１下外フラップと、前記箱主体の第２下外フラップとの連接箇所に１つ以上の組立穴が開設され、前記箱主体の第２背板の両側には、それぞれ前記箱主体の第１側板と、前記箱主体の第２側板とが連接されて、その下方に箱主体の第３下外フラップと、箱主体の第４下外フラップとが設けられると共に、前記箱主体の第３下外フラップと、前記箱主体の第４下外フラップとから外向きに延設された２つの嵌合板により、前記箱主体の第１下外フラップ〜第４下外フラップの折り曲げ後、前記嵌合板が前記組立穴中に丁度組み付け可能に固着構造に形成され、前記箱主体の第２背板に箱主体の第２背板折り曲げ線が設けられることにより、第３辺線と第４辺線とが定義付けられ、前記箱主体の第２背板に１つ以上の第２結束バンド挿通溝が設けられると共に、前記箱主体の第１側板と、前記箱主体の第２側板との下方にそれぞれ箱主体の第１下内フラップと、箱主体の第２下内フラップとを有し、
収納しようとする時、前記１つ以上の結束バンドと、前記蓋体と、結合部品とを取り外した後、前記蓋体の中央板中折り線に沿って中折りし、かつ前記蓋体の第３側板折り曲げ線に従って折り曲げて多辺形の扁平状構造に形成され、そして前記箱主体の第１下外フラップ〜第４下外フラップ及び前記箱主体の第１下内フラップ〜第２下内フラップを前記箱主体の内側に向けて凹折してから、前記箱主体の第１側板と前記第１辺線に沿って前記箱主体の第１背板折り曲げ線に従って内向きに押し込むことで、前記第４辺線を同一方向に向けて前記箱主体の内側に押し込むように連動させてから、前記結束バンドを介して収納後の前記蓋体と、前記箱主体とを一体的に結合して空間を節約する構造が得られることを特徴とする、包装箱構造。
【請求項２】
前記蓋体は、前記蓋体の折り曲げ線に従って前記蓋体の第１側板〜第４側板を折り曲げると共に、前記蓋体の第３側板の前記接合部を、前記結合部品を介して前記蓋体の第１側板と、前記蓋体の第２側板とに取り付けて前記箱主体の開口を閉塞可能な蓋体構造に形成され、そして前記箱主体の第１背板と、前記箱主体の第２背板と、前記箱主体の第１側板と、前記箱主体の第２側板との折り曲げ後、前記結合部品を介して前記箱主体の第２側板と、前記接合板とを取り付けて立方体構造に形成されてから、前記箱主体の第１下内フラップと、前記箱主体の第２下内フラップとを前記箱主体の内側に向けて折り曲げて前記箱主体の第１下外フラップ〜第４下外フラップを折り畳むと共に、前記箱主体の第３下外フラップの前記嵌合板と、前記箱主体の第４下外フラップの前記嵌合板とを前記組立穴内に挿し込んで開口上向きの箱体構造に形成され、前記結束バンドを前記箱主体の前記第１結束バンド挿通溝と、前記第２結束バンド挿通溝とに貫通配置すると共に、前記蓋体に巻き戻すことにより、前記蓋体を前記箱主体の上に蓋閉じして包装箱構造に形成されることを特徴とする、請求項１に記載の包装箱構造。
【請求項３】
前記結束バンドは、前記蓋体の結束バンド挿通溝から前記箱主体の内側に挿入され、そして同側の前記箱主体の下方の前記第１結束バンド挿通溝に沿って引き出されてから、前記結束バンドで前記箱主体の第３下外フラップと、前記箱主体の第４下外フラップとを巻回した後、同側の前記箱主体の前記第２結束バンド挿通溝に挿入されて前記箱主体の内側に進入し、そして同側上方の前記第２結束バンド挿通溝から引き出され、結合材を介して前記結束バンドを前記蓋体の上方に固定することを特徴とする、請求項２に記載の包装箱構造。
【請求項４】
前記蓋体の第１側板と、前記蓋体の第２側板とにそれぞれ第１弧状部と、第２弧状部とを有し、前記第１弧状部と、前記第２弧状部とは、前記蓋体の第４側板に合わせて枢転効果を生じ、また前記第１弧状部と、前記第２弧状部とに蓋体の第１側板折り曲げ線と、蓋体の第２側板折り曲げ線とを有し、収納時、前記第１弧状部と、前記第２弧状部とを折り曲げて収納することを特徴とする、請求項１に記載の包装箱構造。
【請求項５】
前記蓋体の結束バンド挿通溝と、前記箱主体の前記第１結束バンド挿通溝と、前記箱主体の前記第２結束バンド挿通溝とが丁度垂直形態となることを特徴とする、請求項１に記載の包装箱構造。
【請求項６】
蓋体と、箱主体と、底蓋と、１つ以上の結束バンドとから構成される包装箱構造であって、
前記蓋体は、蓋体の中央板を有し、その四周に沿って左右両側対称にそれぞれ蓋体の第１側板と、蓋体の第２側板とが設けられ、前記蓋体の中央板の上下両側に沿ってそれぞれ蓋体の第３側板と、蓋体の第４側板とが設けられ、前記蓋体の中央板から前記蓋体の第３側板、前記蓋体の第４側板までの中央延長上に１つ以上の蓋体の中央板中折り線を有し、前記蓋体の中央板の四周にそれぞれ前記蓋体の第１側板〜第４側板を折り曲げるための折り曲げ線が設けられ、前記蓋体の組立後、左右両側の前記蓋体の側壁に形成され、前記蓋体の第３側板と、前記蓋体の第４側板との左右両側にそれぞれ前記蓋体の第１側板と、前記蓋体の第２側板とを接合する接合部が設けられ、
前記箱主体は、箱主体の第１背板と、箱主体の第２背板と、箱主体の第１側板と、箱主体の第２側板とから構成され、前記箱主体の第１背板の片側端に接合板が設けられ、その相対側に前記箱主体の第２側板が連設されて、さらに前記箱主体の上に箱主体の第１背板折り曲げ線が設けられることにより、第１辺線と第２辺線とが定義付けられ、前記箱主体の第１背板に１つ以上の第１結束バンド挿通溝が設けられ、前記箱主体の第２背板の両側には、それぞれ前記箱主体の第１側板と、前記箱主体の第２側板とが連接されて、前記箱主体の第２背板に箱主体の第２背板折り曲げ線が設けられることにより、第３辺線と第４辺線とが定義付けられ、前記箱主体の第２背板に１つ以上の第２結束バンド挿通溝が設けられ、
前記底蓋は、前記蓋体と同様の構造を有し、前記箱主体の下方の開口を閉塞するために用いられ、
収納しようとする時、前記１つ以上の結束バンドと、前記蓋体と、前記底蓋と、結合部品とを取り外した後、前記蓋体と前記底蓋との中央板中折り線に沿って中折りし、かつ前記蓋体と前記底蓋との第３側板折り曲げ線に従って折り曲げて多辺形の扁平状構造に形成され、そして前記箱主体の第１側板と前記第１辺線に沿って前記箱主体の第１背板折り曲げ線に従って内向きに押し込むことで、前記第４辺線を同一方向に向けて前記箱主体の内側に押し込むように連動させてから、前記結束バンドを介して収納後の前記蓋体と、前記箱主体と、前記底蓋とを一体的に結合して空間を節約する構造が得られることを特徴とする、包装箱構造。
【請求項７】
前記蓋体と、前記底蓋とは、前記蓋体と前記底蓋との折り曲げ線に従って前記蓋体と前記底蓋との第１側板〜第４側板を折り曲げると共に、前記蓋体の第３側板と、前記蓋体の第４側板との前記接合部を、前記結合部品を介して前記蓋体の第１側板と、前記蓋体の第２側板とに取り付けて前記箱主体の開口を閉塞可能な蓋体及び底蓋構造に形成され、そして前記箱主体の第１背板と、前記箱主体の第２背板と、前記箱主体の第１側板と、前記箱主体の第２側板との折り曲げ後、前記結合部品を介して前記箱主体の第１側板と、前記接合板とを取り付けて立方体構造に形成されてから、前記結束バンドを前記箱主体の前記第１結束バンド挿通溝と、前記第２結束バンド挿通溝とに貫通配置すると共に、前記蓋体に巻き戻すことにより、前記蓋体を前記箱主体の上に蓋閉じして包装箱構造に形成されることを特徴とする、請求項６に記載の包装箱構造。
【請求項８】
前記結束バンドは、前記箱主体の上方の前記第１結束バンド挿通溝から前記箱主体の内側に挿入され、そして同側の前記箱主体の下方の前記第１結束バンド挿通溝に沿って引き出されてから、前記結束バンドで前記底蓋を巻回した後、前記箱主体の前記第２結束バンド挿通溝に挿入されて前記箱主体の内側に進入し、そして同側上方の前記第２結束バンド挿通溝から引き出され、結合材を介して前記結束バンドを前記蓋体の上方に固定することを特徴とする、請求項７に記載の包装箱構造。
【請求項９】
前記結束バンドの上に前記結合材を有し、前記結合材がオスメス面ファスナーであることを特徴とする、請求項３または請求項８に記載の包装箱構造。
【請求項１０】
前記結合部品がリベットであることを特徴とする、請求項１または請求項６に記載の包装箱構造。
【請求項１１】
前記箱主体の第１背板に第１手掛け穴が設けられ、前記箱主体の第２背板に第２手掛け穴が設けられることを特徴とする、請求項１または請求項６に記載の包装箱構造。